(57)【特許請求の範囲】
【請求項１】
転炉から排出された転炉滓を受滓して転炉に再装入するための転炉滓のリサイクル用容器であって、上端部から底面部に達するほぼ鉛直な後部壁と、この後部壁の底面部から前部の装入口に近付くほど浅くなる平面状の傾斜底壁と、前記後部壁および傾斜底壁を側方から囲む側壁とで容器本体が形成され、該容器本体の側壁に天井クレーン主巻きフックを掛けるように配設された一対のトラニオンと、後部壁に天井クレーン補巻きフックに掛けるように配設されたアイロッドと、傾斜底壁の下部に配設された底面が平らな支持台兼用のバランスウエイトとを備えたことを特徴とする転炉滓のリサイクル用容器。
【請求項２】
前記傾斜底壁の傾斜角度が水平面に対して20〜25°であることを特徴とする請求項１記載の転炉滓のリサイクル用容器。
【請求項３】
転炉から排出された転炉滓を受滓して転炉に再装入するための転炉滓のリサイクル用容器であって、上端部から底面部に達するほぼ鉛直な後部壁と、この後部壁の底面部から前部の装入口に近付くほど浅くなる平面状の傾斜底壁と、前記後部壁および傾斜底壁を側方から囲む側壁とで容器本体が形成され、該容器本体が、天井クレーン主巻きフックを掛けるための一対のトラニオンが配設された保持台側壁と、天井クレーン補巻きフックに掛けるように配設されたアイロッドと、底面が平らな支持台兼用のバランスウエイトとで形成された容器保持台に載嵌して接続具で接続し着脱自在に一体化するようにされており、一体となった状態において、前記保持台側壁は前記容器本体の前記側壁の外側に並列し、前記アイロッドは前記容器本体の前記後部壁に配設されるように構成されていることを特徴とする転炉滓のリサイクル用容器。
【請求項４】
前記接続具がコッタであることを特徴とする請求項３記載の転炉滓のリサイクル用容器。
【発明の詳細な説明】
【０００１】
【発明の属する技術分野】
本発明は、転炉から排出された転炉滓を受滓して転炉に再装入するための転炉滓のリサイクル用容器に関するものである。
【０００２】
【従来の技術】
溶鋼を脱炭精錬する転炉で生成した転炉滓は、通常、スラグ鍋に排滓し、これをスラグ処理場に移送した後、冷却処理して、廃却あるいは路盤材として使用している。しかし、有価金属成分を多量に含むステンレス鋼等の特殊鋼を精錬する際に発生するスラグは、それら有価金属を有効利用するために、転炉に再装入してリサイクル使用する試みがなされている。
【０００３】
このような転炉滓のリサイクルを行うに当たって、従来は、スラグ鍋等をそのまま利用し転炉からの受滓と転炉内へのスラグ装入を行っていた。
【０００４】
【発明が解決しようとする課題】
しかしながら、通常使用しているスラグ鍋を用いる場合には、受け入れたスラグが固まってくると、スラグ鍋から排出し難くなり、転炉への装入作業が困難になり、転炉滓のリサイクル使用に支障を与えるという問題点があった。
本発明は、前記従来の問題点を解決し、転炉へのスラグ装入が容易で、かつ、保守作業の容易な転炉滓のリサイクル用容器を提供することを目的とするものである。
【０００５】
【課題を解決するための手段】
本発明は、転炉から排出された転炉滓を受滓して転炉に再装入するための転炉滓のリサイクル用容器であって、上端部から底面部に達するほぼ鉛直な後部壁と、この後部壁の底面部から前部の装入口に近付くほど浅くなる平面状の傾斜底壁と、前記後部壁および傾斜底壁を側方から囲む側壁とで容器本体が形成され、該容器本体の側壁に天井クレーン主巻きフックを掛けるように配設された一対のトラニオンと、後部壁に天井クレーン補巻きフックに掛けるように配設されたアイロッドと、傾斜底壁の下部に配設された底面が平らな支持台兼用のバランスウエイトとを備えたことを特徴とする転炉滓のリサイクル用容器であり、前記傾斜底壁の傾斜角度を水平面に対して20〜25°とするのが好ましい。
【０００６】
さらに、本発明は、転炉から排出された転炉滓を受滓して転炉に再装入するための転炉滓のリサイクル用容器であって、上端部から底面部に達するほぼ鉛直な後部壁と、この後部壁の底面部から前部の装入口に近付くほど浅くなる平面状の傾斜底壁と、前記後部壁および傾斜底壁を側方から囲む側壁とで容器本体が形成され、該容器本体が、天井クレーン主巻きフックを掛けるための一対のトラニオンが配設された保持台側壁と、天井クレーン補巻きフックに掛けるように配設されたアイロッドと、底面が平らな支持台兼用のバランスウエイトとで形成された容器保持台に載嵌して接続具で接続し着脱自在に一体化するようにされており、一体となった状態において、前記保持台側壁は前記容器本体の前記側壁の外側に並列し、前記アイロッドは前記容器本体の前記後部壁に配設されるように構成されていることを特徴とする転炉滓のリサイクル用容器であって、前記接続具がコッタであることが好ましい。
【０００７】
【発明の実施の形態】
以下、本発明の実施の形態を図面に基づいて説明する。
図１に示すように、本発明の転炉滓のリサイクル用容器１は、上端部から底面部に達するほぼ鉛直な後部壁９と、この後部壁９の下端部から前部の装入口10の方に近付くほど浅くなる平面状の傾斜底壁11と、後部壁９および傾斜底壁11を側方から囲む側壁12とで容器本体４が形成されている。ここで、容器本体４を形成する傾斜底壁11の傾斜角度は20〜25°とするのが好適である。そして容器本体４を形成する側壁12には天井クレーンの主巻きフックを引っ掛ける一対のトラニオン６が配設してあり、後部壁９には天井クレーンの補巻きフックに引っ掛けるアイロッド３が配設され、また傾斜底壁11の下部には底面が平らな支持台兼用のバランスウエイト２が設置してある。
【０００８】
有価金属を含む転炉滓を受滓する際には、転炉の排滓側下方のスラグ鍋台車上に積載されているリサイクル用容器１に、転炉から排出する溶融スラグを受滓する。この場合、リサイクル用容器１の傾斜底壁11は、傾斜角度が20〜25°となっていて比較的浅いので、既設のスラグ鍋台車上に容易に積載可能である。また、容器本体４の底面形状では安定した積載には不適であるが、バランスウエイト２は支持台も兼ねており安定した積載ができる。
【０００９】
図２に示すように、リサイクル用容器１内に受滓した溶融スラグを、転炉５にリサイクル使用する際には、リサイクル用容器１の側壁12に配設した一対のトラニオン６に主巻きフック７を引っ掛けた後、天井クレーンを運転してリサイクル用容器１を正立状態のまま吊り上げ、傾斜姿勢に保持した転炉５の炉口にリサイクル用容器１の装入口10を臨ませる。この場合、リサイクル用容器１を形成する下部に支持台兼用のバランスウエイト２が設置してあるので、リサイクル用容器１がバランスを失って転倒するのを防止できる。
【００１０】
次いで、リサイクル用容器１の後部壁９に設けたアイロッド３に、補巻きフック８を引っ掛けて天井クレーンで巻き上げてリサイクル用容器１を傾動させると、リサイクル用容器１内の溶融スラグは、冷却固化した場合でも傾斜底壁11が平面状に傾斜しているため、前部の装入口10を介して転炉５内に容易に装入することができる。
【００１１】
ところで、リサイクル用容器１の容器本体４の傾斜底壁11はスラグとの摩擦で摩耗が生じ、その寿命は１年程度である。
そのため、リサイクル用容器１を一体構造とした場合、定期的な保守作業として、毎年、傾斜底壁に厚板を加工して溶接する作業が発生する。
そこで、本発明の別の実施形態として、図３に示すような、容器本体とその容器保持台を分離できる構造のリサイクル用容器を提供し、定期的な保守作業として容器本体を取り替えることを可能としたのである。
【００１２】
図３に、容器本体と容器保持台が分離可能な転炉のリサイクル用容器の側面図を示す。
容器本体４は、図１に示す一体構造型のリサイクル用容器において説明した構造とほぼ同じ構造である。しかし、本形態では、トラニオン６は、容器本体４の側壁12ではなく、容器保持台15を構成する保持台側壁に配設されている。
【００１３】
容器保持台15は、トラニオン６が配設された保持台側壁15と、天井クレーン補巻きフックに掛けるように配設されたアイロッド３と、底面が平らな支持台兼用のバランスウエイト２とから一体となって構成される。
そして、容器本体４と容器保持台15は、接続具によって接続され一体化されている。
【００１４】
接続具としては、平型くさびであるコッタが好適であり、容器本体４と容器保持台15が接続される。ここで、コッタでの接続後、そのコッタの脱落防止のため、ボルトなどでコッタをとめることも可能である。また、接続具としてボルトを用い、容器本体４と容器保持台15をボルト止めすることもできる。
その接続状態を説明する部分拡大図を図４に示す。図４は、図３に示す接続部材13の近傍を正面から見た部分拡大図である。
【００１５】
接続部材13は、容器本体４の底部に溶接されており、容器保持台15の容器本体を受ける受け部に設けた孔を通して、その受け部の下方に突き出るようになっている。この突き出た部分にコッタ20を打ち込むための孔が設けられており、ここにコッタ20を打ち込んで容器本体４と容器保持台15を接続するのである。
容器本体は、容器保持台と一体構造とする場合、溶接を行うことから鋼製とする必要があったが、本形態では、分離して作製できるため、鋳物製の容器とすることが可能となり、容器そのものの寿命を従来の倍の２年程度とすることができるようになった。
【００１６】
【発明の効果】
本発明によれば、リサイクル用容器が平面状の傾斜底壁で形成されているため、リサイクル用容器を傾動するだけで溶融スラグは勿論、スラグが冷却固化しても転炉内に確実に装入することができると共に、既設のスラグ鍋台車に容易に積載することが可能である。また、リサイクル用容器の天井クレーンによる吊り上げ搬送に際しても下部に設けたバランスウエイトにより転倒が防止され、転炉内にスラグを常に安定して装入することができる。
【００１７】
また、容器本体と容器保持台を分離できる構造のリサイクル用容器では、保守作業が容器本体を取り替えるだけの簡便なものとなり、工数のかかる溶接作業を解消できるようになった。
【図面の簡単な説明】
【図１】本発明の転炉のリサイクル用容器を示す側面図である。
【図２】本発明の転炉のリサイクル用容器からスラグを転炉内にリサイクル装入する状況を示す説明図である。
【図３】本発明の別の形態である容器本体と容器保持台が分離可能な転炉のリサイクル用容器を示す側面図である。
【図４】本発明の別の形態である容器本体と容器保持台が分離可能な転炉のリサイクル用容器の容器本体と容器保持台の接続状態を説明する部分拡大図である。
【符号の説明】
１  リサイクル用容器
２  バランスウエイト
３  アイロッド
４  容器本体
５  転炉
６  トラニオン
７  主巻きフック
８  補巻きフック
９  後部壁
10  装入口
11  傾斜底壁
12  側壁
13  接続部材
14  保持台側壁
15  容器保持台
20  コッタ
【図１】
0003724149.tif 000002
【図２】
0003724149.tif 000003
【図３】
0003724149.tif 000004
【図４】
0003724149.tif 000005